(57)【特許請求の範囲】
【請求項１】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作のスライド量を判別する判別手段と、
判別された前記タッチ入力手段上における前記スライド操作のスライド量に応じて、前記ブラケット撮影に使用する前記撮影パラメータの複数の値の数を設定する設定手段と、
設定された前記撮影パラメータの複数の値による前記ブラケット撮影を実行するように制御する撮影制御手段と、
を備えることを特徴とする撮影装置。
【請求項２】
前記判別手段は、前記スライド操作の軌跡の特徴として、前記タッチ入力手段上における前記スライド操作の始点及び終点の位置を、更に判別し、
前記設定手段は、判別された前記タッチ入力手段上における位置の各々に応じて、前記ブラケット撮影に使用する前記撮影パラメータの複数の値を各々、更に設定することを特徴とする請求項１に記載の撮影装置。
【請求項３】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記判別手段は、前記スライド操作の軌跡の特徴として、更に、前記スライド操作の軌跡の通過位置を判別し、
前記設定手段は、判別された前記スライド操作の軌跡の通過位置に応じて、更に、前記ブラケット撮影を行う順番として前記撮影パラメータの複数の値を変更する順番を設定する撮影装置。
【請求項４】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記判別手段は、前記スライド操作の軌跡の特徴として、更に、前記スライド操作の軌跡の方向を判別し、
前記設定手段は、判別された前記スライド操作の軌跡の方向に応じて、更に、前記ブラケット撮影を行う順番として前記撮影パラメータの複数の値を変更する順番を設定することを特徴とする撮影装置。
【請求項５】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記判別手段は、前記スライド操作の軌跡の特徴として、更に、前記スライド操作の速度を判別し、
前記設定手段は、判別された前記スライド操作の速度に応じて、更に、前記ブラケット撮影を行う回数として前記撮影パラメータの複数の値の数を設定することを特徴とする撮影装置。
【請求項６】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記判別手段は、前記スライド操作の軌跡の特徴として、更に、前記スライド操作の速度を判別し、
前記設定手段は、判別された前記スライド操作の速度に応じて、更に、前記撮影パラメータの複数の値のずらし量を設定することを特徴とする撮影装置。
【請求項７】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記判別手段は、前記スライド操作の軌跡の特徴として、更に、前記スライド操作の途中で所定時間以上の一時停止があった場合に、その一時停止があった前記タッチ入力手段上における位置を判別し、
前記設定手段は、判別された前記タッチ入力手段上の位置に応じて、更に、前記撮影パラメータの複数の値の内の少なくとも一を設定することを特徴とする撮影装置。
【請求項８】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記判別手段は、前記スライド操作における軌跡の特徴として、更に、前記スライド操作の軌跡の前記タッチ入力手段上における第１の方向への移動量及び第２の方向への移動量を判別し、
前記設定手段は、判別された前記第１の方向への移動量に応じて、更に、前記撮影パラメータの複数の設定条件の内の少なくとも一を設定し、前記第２の方向への移動量に応じて、前記撮影パラメータの複数の設定条件の内の少なくとも他を設定することを特徴とする撮影装置。
【請求項９】
前記判別手段は、前記スライド操作の軌跡の特徴として、更に、前記スライド操作の軌跡の前記タッチ入力手段上における中間位置を判別し、
前記設定手段は、判別された前記タッチ入力手段上の中間位置に応じて、更に、前記撮影パラメータの複数の値の内の一を設定することを特徴とする請求項２から８のいずれか１項に記載の撮影装置。
【請求項１０】
前記設定手段は、設定可能な前記撮影パラメータの値の内のより中間値に近い値に、前記設定する前記撮影パラメータの複数の値の内の一を設定することを特徴とする請求項９に記載の撮影装置。
【請求項１１】
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作の始点及び終点の位置を判別する判別手段と、
判別された前記タッチ入力手段上における位置の各々に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備え、
前記設定手段は、設定可能な前記撮影パラメータの値の内の中間値を含まずに、前記撮影パラメータの複数の値を設定することを特徴とする撮影装置。
【請求項１２】
前記タッチ入力手段は、表示手段上に積層され、
前記表示手段に、前記設定手段により設定される前記撮影パラメータの設定可能な値又は範囲を識別可能とする表示を行う表示制御手段を更に備えることを特徴とする請求項１から１１のいずれか１項に記載の撮影装置。
【請求項１３】
前記設定手段は、前記撮影パラメータの複数の値の内の少なくとも一として、最大値又は最小値を設定することを特徴とする請求項１から１２のいずれか１項に記載の撮影装置。
【請求項１４】
前記撮影制御手段は、前記判別手段による判別及び前記設定手段による設定の終了を契機として前記ブラケット撮影を実行することを特徴とする請求項１から１３のいずれか１項に記載の撮影装置。
【請求項１５】
複数の撮影パラメータの種類毎の複数の値を組み合わせた複数の組み合わせを変更しながら複数回の撮影を行うブラケット撮影が可能な撮影装置であって、
多次元におけるタッチによるスライド操作が可能なタッチ入力手段と、
前記タッチ入力手段上における連続する１回の前記多次元のスライド操作の軌跡の特徴を判別する判別手段と、
判別された前記連続する１回のスライド操作の軌跡の特徴に応じて、前記ブラケット撮影に使用する前記複数の撮影パラメータ毎の複数の値を組み合わせた複数の組み合わせの各々を設定する設定手段と、
設定された前記複数の組み合わせによる前記ブラケット撮影を実行するように制御する撮影制御手段と、
を備えることを特徴とする撮影装置。
【請求項１６】
前記撮影制御手段は、設定された前記撮影パラメータの複数の種類における種類の複数の値を組み合わせた枚数分の前記ブラケット撮影を実行することを特徴とする請求項１５に記載の撮影装置。
【請求項１７】
前記撮影制御手段は、設定された前記撮影パラメータの複数の種類における種類毎の複数の値の組み合わせのうち、前記スライド操作の軌跡上となる組み合わせで前記ブラケット撮影を実行することを特徴とする請求項１５に記載の撮影装置。
【請求項１８】
前記撮影パラメータの複数の種類における各種類は、前記タッチ入力手段でスライド可能な多次元のうちの各次元に対応し、
前記判別手段は、連続する１回の前記多次元のタッチ入力手段上における前記スライド操作の軌跡で、通過する多次元の座標からなる軌跡の特徴を判別することを特徴とする請求項１５から１７のいずれか１項に記載の撮影装置。
【請求項１９】
タッチによるスライド操作が可能なタッチ入力手段を備え、撮影パラメータの値を変更しながら複数回の撮影を行うブラケット撮影が可能な撮影装置で実行される撮影方法であって、
前記タッチ入力手段上における連続する１回の前記スライド操作の軌跡の特徴として、前記タッチ入力手段上における前記スライド操作のスライド量を判別する判別処理と、
判別された前記タッチ入力手段上における前記スライド操作のスライド量に応じて、前記ブラケット撮影に使用する前記撮影パラメータの複数の値の数を設定する設定処理と、
設定された前記撮影パラメータの複数の値による前記ブラケット撮影を実行するように制御する撮影処理と、
を含むことを特徴とする撮影方法。
【請求項２０】
多次元におけるタッチによるスライド操作が可能なタッチ入力手段を備え、複数の撮影パラメータの種類毎の複数の値を組み合わせた複数の組み合わせを変更しながら複数回の撮影を行うブラケット撮影が可能な撮影装置で実行される撮影方法であって、
前記タッチ入力手段上における連続する１回の前記多次元のスライド操作の軌跡の特徴を判別する判別処理と、
判別された前記連続する１回のスライド操作の軌跡の特徴に応じて、前記ブラケット撮影に使用する前記複数の撮影パラメータ毎の複数の値を組み合わせた複数の組み合わせの各々を設定する設定処理と、
設定された前記複数の組み合わせによる前記ブラケット撮影を実行するように制御する撮影制御処理と、
を含むことを特徴とする撮影方法。
【請求項２１】
タッチによるスライド操作が可能なタッチ入力手段を備え、撮影パラメータの値を変更しながら複数回の撮影を行うブラケット撮影が可能な撮影装置を制御するコンピュータに、
前記タッチ入力手段上における連続する１回の前記スライド操作の軌跡の特徴として、前記タッチ入力手段上における前記スライド操作のスライド量を判別する判別機能と、
判別された前記タッチ入力手段上における前記スライド操作のスライド量に応じて、前記ブラケット撮影に使用する前記撮影パラメータの複数の値の数を設定する設定機能と、
設定された前記撮影パラメータの複数の値による前記ブラケット撮影を実行するように制御する撮影機能と、
を実現させることを特徴とするプログラム。
【請求項２２】
多次元におけるタッチによるスライド操作が可能なタッチ入力手段を備え、複数の撮影パラメータの種類毎の複数の値を組み合わせた複数の組み合わせを変更しながら複数回の撮影を行うブラケット撮影が可能な撮影装置を制御するコンピュータに、
前記タッチ入力手段上における連続する１回の前記多次元のスライド操作の軌跡の特徴を判別する判別機能と、
判別された前記連続する１回のスライド操作の軌跡の特徴に応じて、前記ブラケット撮影に使用する前記複数の撮影パラメータ毎の複数の値を組み合わせた複数の組み合わせの各々を設定する設定機能と、
設定された前記複数の組み合わせによる前記ブラケット撮影を実行するように制御する撮影制御機能と、
を実現させることを特徴とするプログラム。
【発明の詳細な説明】
【技術分野】
【０００１】
本発明は、ブラケット撮影を行う撮影装置、撮影方法及びプログラムに関する。
【背景技術】
【０００２】
従来より、撮影パラメータの値を変更しながら複数回の撮影を連続して行い、所望する撮影画像を取得するブラケット撮影が広く使用されている。ブラケット撮影を行う場合、変更する撮影パラメータの適切な値は撮影環境によって異なるものであり、撮影の都度複数の撮影パラメータの値を設定することは面倒である。
そこで、特許文献１には、タッチパネルを使用し、中心となる基準値を容易に設定できるようにした技術が開示されている。
【先行技術文献】
【特許文献】
【０００３】
【特許文献１】特開２０１４−４８３８２号公報
【発明の概要】
【発明が解決しようとする課題】
【０００４】
しかしながら、特許文献１に記載された技術を用いた場合、基準値の設定は容易であったとしても、基準値からのずらし量は一定のまま設定されるだけであるため、ずらし量も変更したい場合は、別の操作が必要であるという問題があった。
【０００５】
本願発明の課題は、ブラケット撮影に使用する撮影パラメータの値を容易に設定できるようにすることである。
【課題を解決するための手段】
【０００６】
上記課題を達成するため、本発明の一態様の撮影装置は、
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴として、前記タッチ入力手段上における前記スライド操作のスライド量を判別する判別手段と、
判別された前記タッチ入力手段上における前記スライド操作のスライド量に応じて、前記ブラケット撮影に使用する前記撮影パラメータの複数の値の数を設定する設定手段と、
設定された前記撮影パラメータの複数の値による前記ブラケット撮影を実行するように制御する撮影制御手段と、
を備えることを特徴とする。
【発明の効果】
【０００７】
本発明によれば、ブラケット撮影に使用する撮影パラメータの値をより容易に設定できる。
【図面の簡単な説明】
【０００８】
【図１】本発明の一実施形態に係る撮影装置のハードウェアの構成を示すブロック図である。
【図２】図１の撮影装置の機能的構成のうち、ブラケット撮影処理を実行するための機能的構成を示す機能ブロック図である。
【図３】撮影順番フラグと、撮影パラメータの範囲内における撮影順番の設定方法とを対応付ける撮影順番テーブルを示す模式図である。
【図４】スライド操作の移動速度と、撮影枚数の設定方法とを対応付ける標準の撮影枚数テーブルを示す模式図である。
【図５】撮影順番フラグが「０」に設定されている場合の撮影パラメータの設定例を示す模式図である。
【図６】図２の機能的構成を有する図１の撮影装置が実行するブラケット撮影処理の流れを説明するフローチャートである。
【図７】他の実施形態によるスライド操作領域におけるスライド操作の例を示す模式図である。
【図８】変形例１におけるスライド操作の移動速度と、撮影パラメータのずらし量の設定方法とを対応付ける標準の撮影ずらし量テーブルを示す模式図である。
【図９】変形例１において撮影順番フラグが「０」に設定されている場合の撮影パラメータの設定例を示す模式図である。
【図１０】変形例２におけるディスプレイの縦方向の移動量で撮影パラメータの設定条件を設定するスライド操作の例を示す模式図である。
【発明を実施するための形態】
【０００９】
以下、本発明の実施形態について、図面を用いて説明する。
【００１０】
［第１実施形態］
［構成］
図１は、本発明の一実施形態に係る撮影装置のハードウェアの構成を示すブロック図である。
撮影装置１は、例えばデジタルカメラとして構成される。
【００１１】
撮影装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、または、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等のパラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像」と呼ぶ。撮像画像は、ＣＰＵ１１等に適宜供給される。
【００１８】
入力部１７は、出力部１８のディスプレイに積層されるタッチパネルで構成されており、ユーザの指示操作に応じて各種情報を入力する。また、入力部１７は、タッチパネルに加えて、各種ボタン等を含んで構成され、ユーザの指示操作に応じて各種情報を入力する。本実施形態において、入力部１７のタッチパネルには、横方向にＸ軸、縦方向にＹ軸が設定され、タッチパネルに対する操作（タップやスライド操作等）は、ＸＹ座標として検出される。なお、タッチパネルは接触式、非接触式を問わない。
出力部１８は、ディスプレイやスピーカ等で構成され、画像や音声を出力する。
記憶部１９は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、あるいは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
図２は、このような撮影装置１の機能的構成のうち、ブラケット撮影処理を実行するための機能的構成を示す機能ブロック図である。
ブラケット撮影処理とは、入力部１７に対するユーザの操作軌跡の特徴を判別してブラケット撮影のためのパラメータを設定し、設定したパラメータに従って自動的にブラケット撮影を実行する一連の処理をいう。
【００２１】
ブラケット撮影処理が実行される場合、図２に示すように、ＣＰＵ１１において、判別部５１と、設定部５２と、撮影制御部５３と、表示制御部５４とが機能する。
また、記憶部１９の一領域には、撮影パラメータ記憶部７１と、画像記憶部７２とが設定される。
撮影パラメータ記憶部７１には、設定部５２によって設定されたブラケット撮影のためのパラメータが適宜記憶される。
画像記憶部７２には、撮影制御部５３の制御によって撮影された撮影画像が記憶される。
【００２２】
判別部５１は、入力部１７に対するユーザの操作軌跡の特徴を判別する。具体的には、判別部５１は、入力部１７に対してユーザが接触を維持しながら行った１回のスライド操作の軌跡を検出し、その軌跡が示すスライド操作の位置、方向あるいは速度等の要素を操作軌跡の特徴として判別する。例えば、判別部５１は、スライド操作の開始位置、終了位置、これらの中間位置、途中の一時停止位置（スライド操作中に設定時間以上一時停止した位置）、タッチパネルにおける縦方向あるいは横方向（ＸＹ方向）の移動量や移動速度等を操作軌跡の特徴として判別する。本実施形態において、判別部５１は、スライド操作を１軸（１次元）の軌跡として検出し、設定部５２において、スライド操作に応じて、１種類の撮影パラメータの複数の設定値と、それら設定値を使用した撮影の順番とが設定される。なお、本実施形態において、ブラケット撮影の際に変化される撮影パラメータは、露出の補正値であるものとする。
【００２３】
設定部５２は、判別部５１によって判別された操作軌跡の特徴に応じて、ブラケット撮影に使用する撮影パラメータの値を設定する。具体的には、設定部５２は、１軸（１次元）の軌跡として検出されたスライド操作の開始位置及び終了位置によって、撮影パラメータの範囲を設定する。例えば、設定部５２は、スライド操作の開始位置に対応する撮影パラメータＰｓから終了位置に対応する撮影パラメータＰｅまでを撮影パラメータの範囲に設定する。さらに、設定部５２は、スライド操作の移動速度に応じて、ブラケット撮影の撮影枚数を設定する。このとき、設定部５２は、撮影順番を決定する撮影順番フラグに応じて、撮影パラメータの範囲内において、いずれの順番でブラケット撮影を行うかを設定する。撮影順番フラグは、入力部１７を介して、ユーザによって設定される。
【００２４】
図３は、撮影順番フラグと、撮影パラメータの範囲内における撮影順番の設定方法とを対応付ける撮影順番テーブルを示す模式図である。
図３に示すように、撮影順番フラグが「０」に設定されている場合、スライド操作の開始位置を優先し、スライド操作の開始位置に対応する撮影パラメータＰｓで最初の撮影が行われる。そして、撮影パラメータＰｓから近い順に、撮影枚数に応じて変化させた撮影パラメータの順で撮影が行われた後、スライド操作の終了位置に対応する撮影パラメータＰｅで最後の撮影が行われる。
【００２５】
また、撮影順番フラグが「１」に設定されている場合、スライド操作によって設定された撮影パラメータの範囲のうち最小値を優先し、この最小値で最初の撮影が行われる。そして、撮影パラメータの範囲の最小値から近い順に、撮影枚数に応じて変化させた撮影パラメータの順で撮影が行われた後、撮影パラメータの範囲のうち最大値で最後の撮影が行われる。
さらに、撮影順番フラグが「２」に設定されている場合、スライド操作によって設定された撮影パラメータの範囲のうち最大値を優先し、この最大値で最初の撮影が行われる。そして、撮影パラメータの範囲の最大値から近い順に、撮影枚数に応じて変化させた撮影パラメータの順で撮影が行われた後、撮影パラメータの範囲のうち最小値で最後の撮影が行われる。
【００２６】
図４は、スライド操作の移動速度と、撮影枚数の設定方法とを対応付ける標準の撮影枚数テーブルを示す模式図である。なお、以下の説明において、移動速度は、Ｖ３＞Ｖ２＞Ｖ１の関係を有するものとする。
図４に示すように、移動速度がＶ３以上である場合、撮影枚数は３枚に設定され、移動速度がＶ２以上Ｖ３未満である場合、撮影枚数は５枚に設定される。また、移動速度がＶ１以上Ｖ２未満である場合、撮影枚数は７枚に設定され、移動速度がＶ１未満である場合、撮影枚数は９枚に設定される。
ここで、図４に示す撮影枚数の設定方法は、タッチパネルが積層されたディスプレイにおいて、撮影パラメータの多段階の値が目盛りとして表示されている領域（以下、「スライド操作領域」と呼ぶ。）の全範囲をスライド操作された場合に対応している。実際のスライド操作がスライド操作領域の全範囲に及ばない場合には、スライド操作された範囲に含まれる多段階の撮影パラメータの個数に応じて、撮影枚数が制限される。
【００２７】
図５は、撮影順番フラグが「０」に設定されている場合の撮影パラメータの設定例を示す模式図である。
図５に示すように、露出補正量を示す目盛りが表示された１次元のスライド操作領域に種々のパターンでスライド操作（図中の矢印）が行われた場合、スライド操作における操作軌跡の特徴に応じて、ブラケット撮影における撮影パラメータが設定される。
ここでは、撮影パラメータは各目盛に対応する値（「−２」、「−１」、「−１／２」、「０」、「＋１／２」、「＋１」、「＋２」）のいずれかが設定されるものとする。
例えば、図５（Ａ）に示すように、スライド操作領域において、スライド操作の開始位置が撮影パラメータの「−１」の位置であり、終了位置が撮影パラメータの「＋１」の位置である場合、撮影パラメータの「−１」で最初の撮影が行われ、撮影パラメータの「＋１」で最後の撮影が行われる。また、スライド操作の移動速度に応じて、ブラケット撮影の枚数が設定される。具体的には、移動速度［ｃｍ／ｓ］がＶ３以上である場合、撮影枚数は３枚に設定され、撮影パラメータ「−１」、「０」、「＋１」の順でブラケット撮影が行われる。また、移動速度がＶ２以上Ｖ３未満である場合、撮影枚数は５枚に設定され、撮影パラメータ「−１」、「−１／２」、「０」、「＋１／２」、「＋１」の順でブラケット撮影が行われる。また、移動速度がＶ１以上Ｖ２未満及びＶ１未満である場合でも、対応する撮影枚数７枚及び９枚に設定できる値が存在しないため、撮影枚数は５枚に設定され、撮影パラメータ「−１」、「−１／２」、「０」、「＋１／２」、「＋１」の順でブラケット撮影が行われる。
【００２８】
また、図５（Ｂ）に示すように、スライド操作領域において、スライド操作の開始位置が撮影パラメータの「−２」の位置であり、終了位置が撮影パラメータの「＋２」の位置である場合、撮影パラメータの「−２」で最初の撮影が行われ、撮影パラメータの「＋２」で最後の撮影が行われる。また、スライド操作の移動速度に応じて、ブラケット撮影の枚数が設定される。具体的には、移動速度がＶ３以上である場合、撮影枚数は３枚に設定され、撮影パラメータ「−２」、「０」、「＋２」の順でブラケット撮影が行われる。また、移動速度がＶ２以上Ｖ３未満である場合、撮影枚数は５枚に設定され、撮影パラメータ「−２」、「−１」、「０」、「＋１」、「＋２」の順でブラケット撮影が行われる。また、移動速度がＶ１以上Ｖ２未満である場合、撮影枚数は７枚に設定され、撮影パラメータ「−２」、「−１」、「−１／２」、「０」、「＋１／２」、「＋１」、「＋２」の順でブラケット撮影が行われる。このように等間隔の値で設定できない場合は、中心の「０」に近い値を優先して設定される。また、移動速度がＶ１未満である場合、撮影枚数は９枚に設定され、撮影パラメータ「−２」、「−３／２」、「−１」、「−１／２」、「０」、「＋１／２」、「＋１」、「＋３／２」、「＋２」の順でブラケット撮影が行われる。
【００２９】
また、図５（Ｃ）に示すように、スライド操作領域において、スライド操作の開始位置が撮影パラメータの「０」の位置であり、終了位置が撮影パラメータの「＋２」の位置である場合、撮影パラメータの「０」で最初の撮影が行われ、撮影パラメータの「＋２」で最後の撮影が行われる。また、スライド操作の移動速度に応じて、ブラケット撮影の枚数が設定される。具体的には、移動速度［ｃｍ／ｓ］がＶ３以上である場合、撮影枚数は３枚に設定され、撮影パラメータ「０」、「＋１」、「＋２」の順でブラケット撮影が行われる。また、移動速度がＶ２以上Ｖ３未満である場合、撮影枚数は５枚に設定され、撮影パラメータ「０」、「＋１／２」、「１」、「＋３／２」、「＋２」の順でブラケット撮影が行われる。移動速度がＶ１以上Ｖ２未満及びＶ１未満である場合でも、対応する撮影枚数７枚及び９枚に設定できる値が存在しないため、撮影枚数は５枚に設定され、撮影パラメータ「０」、「＋１／２」、「１」、「＋３／２」、「＋２」の順でブラケット撮影が行われる。
【００３０】
また、図５（Ｄ）に示すように、スライド操作領域において、スライド操作の開始位置が撮影パラメータの「−１」の位置であり、途中の一時停止位置（図中の黒丸の位置）が撮影パラメータの「−１／２」の位置であり、終了位置が撮影パラメータの「＋１」の位置である場合、撮影パラメータの「−１」で最初の撮影が行われ、一時停止が行なわれた撮影パラメータの「−１／２」を優先して途中の撮影が行われ、撮影パラメータの「＋１」で最後の撮影が行われる。また、スライド操作の移動速度に応じて、ブラケット撮影の枚数が設定される。具体的には、移動速度［ｃｍ／ｓ］がＶ３以上である場合、撮影枚数は３枚に設定され、撮影パラメータ「−１」、「−１／２」、「＋１」の順でブラケット撮影が行われる。また、移動速度がＶ２以上Ｖ３未満である場合、撮影枚数は５枚に設定され、撮影パラメータ「−１」、「−１／２」、「０」、「＋１／２」、「＋１」の順でブラケット撮影が行われる。また、移動速度がＶ１以上Ｖ２未満及びＶ１未満である場合でも、対応する撮影枚数７枚及び９枚に設定できる値が存在しないため、撮影枚数は５枚に設定され、撮影パラメータ「−１」、「−１／２」、「０」、「＋１／２」、「＋１」の順でブラケット撮影が行われる。このように、スライド操作が途中で一時的に停止された場合、設定される撮影枚数の中には、途中の一時停止位置に対応する撮影パラメータでの撮影が含められる。
【００３１】
また、図５（Ｅ）に示すように、スライド操作領域において、スライド操作の開始位置が撮影パラメータの「＋１」の位置であり、終了位置が撮影パラメータの「−１」の位置である場合、撮影パラメータの「＋１」で最初の撮影が行われ、撮影パラメータの「−１」で最後の撮影が行われる。また、スライド操作の移動速度に応じて、ブラケット撮影の枚数が設定される。具体的には、移動速度［ｃｍ／ｓ］がＶ３以上である場合、撮影枚数は３枚に設定され、撮影パラメータ「＋１」、「０」、「−１」の順でブラケット撮影が行われる。また、移動速度がＶ２以上Ｖ３未満である場合、撮影枚数は５枚に設定され、撮影パラメータ「＋１」、「＋１／２」、「０」、「−１／２」、「−１」の順でブラケット撮影が行われる。また、移動速度がＶ１以上Ｖ２未満及びＶ１未満である場合でも対応する撮影枚数７枚及び９枚に設定できる値が存在しないため、撮影枚数は５枚に設定され、撮影パラメータ「＋１」、「＋１／２」、「０」、「−１／２」、「−１」の順でブラケット撮影が行われる。このように、スライド操作を行う向き（（開始位置と終了位置の位置関係）に応じて、撮影順番が設定される。
【００３２】
図２に戻り、撮影制御部５３は、設定部５２によって設定された撮影枚数、撮影パラメータ及び撮影順番によって、ブラケット撮影を実行する。具体的には、撮影制御部５３は、設定部５２によって設定された撮影パラメータの順番で、撮影パラメータをずらしながら撮像部１６に撮影枚数分撮像を実行させて取得される撮像画像のデータにファイル化処理を施して撮影画像を生成する。このブラケット撮影によって撮影された複数の撮影画像は、画像記憶部７２に記憶される。
表示制御部５４は、ブラケット撮影によって撮影された複数の撮影画像のデータを画像記憶部７２から読み出し、出力部１８のディスプレイに表示する。このとき、ブラケット撮影によって撮影された複数の撮影画像のデータをディスプレイに配列して同時に表示することや、撮影された順番あるいは撮影パラメータの昇順または降順で１枚ずつ順番に表示すること等が可能である。また、表示制御部５４は、出力部１８のディスプレイに、スライド操作領域を構成する撮影パラメータの目盛り（図５参照）を表示する。なお、スライド操作領域は、ディスプレイの長辺に沿う方向（即ち、横方向）に形成することや、ディスプレイの短辺に沿う方向（即ち、縦方向）に形成することが可能である。
【００３３】
［動作］
次に、動作を説明する。
図６は、図２の機能的構成を有する図１の撮影装置１が実行するブラケット撮影処理の流れを説明するフローチャートである。
ブラケット撮影処理は、ユーザによる入力部１７へのブラケット撮影処理開始の操作により開始される。
ブラケット撮影処理が開始されると、ステップＳ１において、表示制御部５４は、出力部１８のディスプレイに、スライド操作領域を構成する撮影パラメータの目盛りを表示する。
【００３４】
ステップＳ２において、判別部５１は、入力部１７に対するユーザのスライド操作があるか否かの判定を行う。
入力部１７に対するユーザのスライド操作がある場合、ステップＳ２においてＹＥＳと判定されて、処理はステップＳ３に移行する。
一方、入力部１７に対するユーザのスライド操作がない場合、ステップＳ２においてＮＯと判定されて、ステップＳ２の処理が繰り返される。
ステップＳ３において、判別部５１は、入力部１７に対するユーザの操作軌跡の特徴を判別する。これにより、スライド操作の軌跡が示すスライド操作の位置（開始位置、終了位置あるいは途中の一時停止位置等）、方向（縦方向あるいは横方向）、速度等の要素が操作軌跡の特徴として判別される。
【００３５】
ステップＳ４において、設定部５２は、判別部５１によって判別された操作軌跡の特徴に応じて、上記したようにブラケット撮影に使用する撮影パラメータの値を設定する。これにより、ブラケット撮影を行う撮影枚数、撮影パラメータ及び撮影順番が設定される。
ステップＳ５において、撮影制御部５３は、設定部５２によって設定された撮影枚数、撮影パラメータ及び撮影順番によって、ブラケット撮影を実行する。これにより、ユーザによるスライド操作の終了を契機として、設定された撮影パラメータ及び撮影枚数の撮像画像が、設定された順番でブラケット撮影により撮像される。
【００３６】
ステップＳ６において、撮影制御部５３は、撮像部１６から出力された撮像画像のデータを取得しファイル化処理を施した撮影画像を画像記憶部７２に記憶させる。
ステップＳ７において、表示制御部５４は、撮影された複数の撮影画像のデータを画像記憶部７２から読み出し、出力部１８のディスプレイに表示する。例えば、表示制御部５４は、ブラケット撮影によって撮影された複数の撮影画像のデータをディスプレイに配列して同時に表示したり、撮影された順番あるいは撮影パラメータの昇順または降順で１枚ずつ順番に表示したりする。
ステップＳ７の後、入力部１７を介してブラケット撮影処理終了の操作が行われるまで、ブラケット撮影処理が繰り返される。
【００３７】
以上のような処理により、撮影装置１においては、ユーザがタッチパネルに対して行ったスライド操作の特徴から、ブラケット撮影の撮影枚数が決定され、さらに撮影パラメータ及び撮影順番が設定される。そして、設定された撮影パラメータ及び撮影枚数の撮像画像が、設定された順番で撮像される。
したがって、タッチパネルに対するスライド操作だけでブラケット撮影の各種設定を行うことができるため、ユーザは、ブラケット撮影に使用する撮影パラメータの値をより容易に設定することが可能となる。
【００３８】
［第２実施形態］
次に、本発明の第２実施形態について説明する。
上記した第１実施形態においては、スライド操作を１軸（１次元）の軌跡として検出しているのに対して、他の実施形態である本実施形態ではスライド操作を２軸（２次元）の軌跡として検出することで、２軸のブラケット撮影の撮影パラメータを設定できるようにしたことを特徴とする。
２軸のブラケット撮影とは、２種類の撮影パラメータのそれぞれで設定されている複数の値を組み合わせてブラケット撮影を行うもので、２種類の撮影パラメータの設定値がそれぞれ５つと３つであれば、５×３の異なる組み合わせで１５枚の撮影を行なうことになる。
本実施形態における撮影装置１のハードウェア構成及び機能的構成は、判別部５１及び設定部５２の機能的構成を除き、図１及び図２に示す第１実施形態の場合と同様である。
したがって、第１実施形態と異なる部分である判別部５１及び設定部５２の機能的構成について主として説明する。
【００３９】
判別部５１は、入力部１７に対するユーザの操作軌跡の特徴を判別する。具体的には、判別部５１は、入力部１７に対してユーザが接触を維持しながら行った１回のスライド操作の軌跡を検出し、その軌跡が示すスライド操作の位置、方向あるいは速度等の要素を操作軌跡の特徴として判別する。例えば、判別部５１は、スライド操作の開始位置、終了位置、これらの中間位置、途中の一時停止位置、タッチパネルにおける縦方向あるいは横方向（ＸＹ方向）の移動量や移動速度等を操作軌跡の特徴として判別する。本実施形態において、判別部５１は、スライド操作を２軸（２次元）の軌跡として検出し、設定部５２において、スライド操作に応じて、Ｘ方向、Ｙ方向それぞれに対応した２種類の撮影パラメータそれぞれの複数の設定値と、それら設定値を使用した撮影の順番とが設定される。なお、本実施形態において、ブラケット撮影の際に変化される２種類の撮影パラメータは、コントラストの補正値及び彩度の補正値であるものとする。
【００４０】
設定部５２は、判別部５１によって判別された操作軌跡の特徴に応じて、ブラケット撮影に使用する撮影パラメータの値を設定する。具体的には、設定部５２は、２軸（２次元）の軌跡として検出されたスライド操作の開始位置、通過位置（操作軌跡の形状）及び終了位置によって、撮影パラメータの範囲を設定する。例えば、設定部５２は、スライド操作が単調に増加または減少する軌跡である場合、スライド操作の開始位置に対応する撮影パラメータＰｓから終了位置に対応する撮影パラメータＰｅまでを撮影パラメータの範囲に設定する。一方、設定部５２は、スライド操作が上に凸または下に凸の軌跡である場合、スライド操作の開始位置に対応する撮影パラメータＰｓまたは終了位置に対応する撮影パラメータＰｅから軌跡の極値Ｐｐまでを撮影パラメータの範囲に設定する。さらに、設定部５２は、スライド操作の移動速度に応じて、ブラケット撮影の撮影枚数を設定する。このとき、設定部５２は、撮影順番を決定する撮影順番フラグに応じて、撮影パラメータの範囲内において、いずれの順番でブラケット撮影を行うかを設定する。撮影順番フラグは、入力部１７を介して、ユーザによって設定される。
【００４１】
本実施形態において、撮影順番フラグについては、２軸に対応する２種類の撮影パラメータそれぞれについて、図３に示す第１実施形態の場合と同様の撮影順番フラグが設定される。
また、撮影枚数については、図４に示す第１実施形態の場合と同様に、スライド操作の移動速度に応じて、撮影枚数が設定される。なお、第１実施形態と同様に、実際のスライド操作がスライド操作領域の全範囲に及ばない場合には、スライド操作された範囲に含まれる多段階の撮影パラメータの個数に応じて、撮影枚数が制限される。例えば、スライド操作された範囲に含まれる多段階のコントラストの補正値が２つ、彩度の補正値が３つである場合、２×３＝６枚の撮影が行われる。
【００４２】
図７は、スライド操作領域におけるスライド操作の例を示す模式図である。
本実施形態においては、スライド操作を２軸（２次元）の軌跡として検出することから、図７に示すように、スライド操作領域は縦方向（Ｙ方向）及び横方向（Ｘ方向）に目盛りが表示された２次元の領域として表示される。以下の説明では、撮影順番フラグが「０」に設定されているものとする。
【００４３】
図７（Ａ）に示すように、スライド操作領域において、スライド操作の開始位置が、コントラストの「−２」、彩度の「−２」の位置であり、スライド操作がコントラストの増加に対して彩度が単調に増加するものであり、スライド操作の終了位置が、コントラストの「＋２」、彩度の「＋２」の位置である場合、スライド操作の移動速度に応じて、例えば、コントラストについては「−２」、「０」、「＋２」、彩度については「−２」、「０」、「＋２」の順で組み合わせたブラケット撮影が行われる。
【００４４】
図７（Ｂ）に示すように、スライド操作領域において、スライド操作の開始位置が、コントラストの「−２」、彩度の「−１」の位置であり、スライド操作がコントラストの増加に対して彩度が単調に増加するものであり、スライド操作の終了位置が、コントラストの「＋１」、彩度の「＋２」の位置である場合、スライド操作の移動速度に応じて、例えば、コントラストについては「−２」、「０」、「＋１」、彩度については「−１」、「０」、「＋２」の順で組み合わせたブラケット撮影が行われる。ここでは、ずらし量は等間隔となっていないが、上述のように中心の値（０）に近い値を優先して設定されている。
【００４５】
このように、図７（Ａ）、図７（Ｂ）におけるスライド操作はいずれもコントラストの増加に対して彩度が単調に増加するものであるが、軌跡が異なるため設定される値の組み合わせが異なっている。
【００４６】
また、図７（Ｃ）に示すように、スライド操作領域において、スライド操作の開始位置が、コントラストの「−２」、彩度の「＋２」の位置であり、スライド操作がコントラストの増加に対して彩度が単調に減少するものであり、スライド操作の終了位置が、コントラストの「＋２」、彩度の「−２」の位置である場合、スライド操作の移動速度に応じて、例えば、コントラストについては「−２」、「０」、「＋２」、彩度については「＋２」、「０」、「−２」の順で組み合わせたブラケット撮影が行われる。
【００４７】
図７（Ｄ）に示すように、スライド操作領域において、スライド操作の開始位置が、コントラストの「−２」、彩度の「−２」の位置であり、スライド操作の極値（極大値）が、コントラストの「０」、彩度の「＋２」の位置であり、スライド操作の終了位置が、コントラストの「＋２」、彩度の「０」の位置である場合、スライド操作の移動速度に応じて、例えば、コントラストについては「−２」、「０」、「＋２」、彩度については「−２」、「＋２」、「０」の順で組み合わせたブラケット撮影が行われる。
【００４８】
このように、図７（Ａ）、図７（Ｃ）、図７（Ｄ）におけるスライド操作の移動範囲は、コントラスト、彩度共に「−２」〜「＋２」の間であるため、設定される補正値、及び補正値を組み合わせたブラケット撮影の枚数は同じとなるが、軌跡が異なるため撮影順番が異なる。図７（Ａ）はコントラストの増加に対して彩度が単調増加、図７（Ｃ）はコントラストの増加に対して彩度が単調減少、図７（Ｄ）はコントラストの増加に対して上に凸、である点が異なっている。
この場合、コントラスト及び彩度それぞれについて用いられる補正値の組み合わせは同一である一方、撮影順番が異なるものとされている。
即ち、スライド操作を２軸（２次元）の軌跡として検出することにより、ブラケット撮影を行う際の撮影順番を容易に設定することが可能となる。
なお、第２実施形態において、３軸（次元）以上のタッチ入力を可能とするために、タッチ入力手段はタッチパネルに限定されず、例えば、３次元空間上のスライド操作を検出するようにしてもよい。
【００４９】
また、上記の第２実施形態においては２軸のブラケット撮影として２種類の撮影パラメータのそれぞれで設定されている複数の値を組み合わせてブラケット撮影を行うものとしたが、２種類の撮影パラメータの設定値のうちスライド操作の軌跡上の組み合わせのみを撮影するものとしてもよい。例えば、図７（Ａ）の場合は、コントラストが「−２」で彩度が「−２」、コントラストが「０」で彩度が「０」、コントラストが「＋２」で彩度が「＋２」の組み合わせで３枚の撮影を行なうことになる。
【００５０】
［変形例１］
上記各実施形態において、設定部５２は、スライド操作の移動速度に応じて、ブラケット撮影の撮影枚数を設定するものとした。これに対し、スライド操作の移動速度に応じて、ブラケット撮影における撮影パラメータのずらし量を設定することとしてもよい。この場合、撮影順番については、上記各実施形態と同様に、図３に示す撮影順番テーブルを用いて、撮影順番フラグに応じた撮影順番を設定することができる。
【００５１】
図８は、スライド操作の移動速度と、撮影パラメータのずらし量の設定方法とを対応付ける標準の撮影ずらし量テーブルを示す模式図である。
図８に示すように、移動速度がＶ３以上である場合、撮影パラメータのずらし量［Ｅｖ］は「２」に設定され、移動速度がＶ２以上Ｖ３未満である場合、撮影パラメータのずらし量は「３／２」に設定される。また、移動速度がＶ１以上Ｖ２未満である場合、撮影パラメータのずらし量は「１」に設定され、移動速度がＶ１未満である場合、撮影パラメータのずらし量は「１／２」に設定される。
ここで、図８に示す撮影パラメータのずらし量の設定方法は、タッチパネルの表示画面において、スライド操作領域の全範囲をスライド操作された場合に対応している。実際のスライド操作がスライド操作領域の全範囲に及ばない場合には、スライド操作された範囲に含まれる多段階の撮影パラメータの取り得る値に応じて、撮影パラメータのずらし量の大きさが制限される。
【００５２】
図９は、変形例１を第１実施形態に適用した場合において撮影順番フラグが「０」に設定されている場合の撮影パラメータの設定例を示す模式図である。
図９に示すように、スライド操作領域に種々のパターンでスライド操作が行われた場合、スライド操作における操作軌跡の特徴に応じて、ブラケット撮影における撮影パラメータが設定される。
例えば、図９（Ａ）に示すように、スライド操作領域において、スライド操作の開始位置が撮影パラメータの「−１」の位置であり、終了位置が撮影パラメータの「＋１」の位置である場合、撮影パラメータの「−１」で最初の撮影が行われ、撮影パラメータの「＋１」で最後の撮影が行われる。また、スライド操作の移動速度に応じて、ブラケット撮影における撮影パラメータのずらし量が設定される。具体的には、移動速度［ｃｍ／ｓ］がＶ３以上及びＶ２以上Ｖ３未満である場合は、それぞれの対応するずらし量はそれぞれ２」及び「２／３」であるが、開始位置から終了位置の間でそれぞれのずらし量が確保できないため、確保可能なずらし量として「１」を設定し、ずらし量として「１」が確保できるＶ１以上Ｖ２未満である場合と合わせて、撮影パラメータ「−１」、「０」、「＋１」の順でブラケット撮影が行われる。また、移動速度がＶ１未満である場合、撮影パラメータのずらし量は「１／２」に設定され、撮影パラメータ「−１」、「−１／２」、「０」、「＋１／２」、「＋１」の順でブラケット撮影が行われる。
【００５３】
また、図９（Ｂ）に示すように、スライド操作領域において、スライド操作の開始位置が撮影パラメータの「−２」の位置であり、終了位置が撮影パラメータの「＋２」の位置である場合、撮影パラメータの「−２」で最初の撮影が行われ、撮影パラメータの「＋２」で最後の撮影が行われる。また、スライド操作の移動速度に応じて、ブラケット撮影における撮影パラメータのずらし量が設定される。具体的には、移動速度がＶ３以上である場合、撮影パラメータのずらし量は「２」に設定され、撮影パラメータ「−２」、「０」、「＋２」の順でブラケット撮影が行われる。また、移動速度がＶ２以上Ｖ３未満である場合、撮影パラメータのずらし量は「１」に設定され、撮影パラメータ「−２」、「−１」、「０」、「＋１」、「＋２」の順でブラケット撮影が行われる。また、移動速度がＶ１以上Ｖ２未満である場合、撮影パラメータのずらし量は「２／３」に設定されるが、該当する値が存在しない場合は、中心の「０」に近い値を優先して、撮影パラメータ「−２」、「−１」、「−１／２」、「０」、「＋１／２」、「＋１」、「＋２」の順でブラケット撮影が行われる。また、移動速度がＶ１未満である場合、撮影パラメータのずらし量は「１／２」に設定され、撮影パラメータ「−２」、「−３／２」、「−１」、「−１／２」、「０」、「＋１／２」、「＋１」、「＋３／２」、「＋２」の順でブラケット撮影が行われる。
【００５４】
また、図９（Ｃ）に示すように、スライド操作領域において、スライド操作の開始位置が撮影パラメータの「０」の位置であり、終了位置が撮影パラメータの「＋２」の位置である場合、撮影パラメータの「０」で最初の撮影が行われ、撮影パラメータの「＋２」で最後の撮影が行われる。また、スライド操作の移動速度に応じて、ブラケット撮影における撮影パラメータのずらし量が設定される。具体的には、移動速度［ｃｍ／ｓ］がＶ３以上及びＶ２以上Ｖ３未満である場合は、それぞれの対応するずらし量はそれぞれ「２」及び「２／３」であるが、開始位置から終了位置の間でそれぞれのずらし量が確保できないため、確保可能なずらし量として「１」を設定し、ずらし量として「１」が確保できるＶ１以上Ｖ２未満である場合と合わせて、撮影パラメータ「０」、「＋１」、「＋２」の順でブラケット撮影が行われる。また、移動速度が及びＶ１未満である場合、撮影パラメータのずらし量は「１／２」に設定され、撮影パラメータ「０」、「＋１／２」、「１」、「＋３／２」、「＋２」の順でブラケット撮影が行われる。
【００５５】
また、図９（Ｄ）に示すように、スライド操作領域において、スライド操作の開始位置が撮影パラメータの「−１」の位置であり、途中の一時停止位置が撮影パラメータの「−１／２」の位置であり、終了位置が撮影パラメータの「＋１」の位置である場合、撮影パラメータの「−１」で最初の撮影が行われ、撮影パラメータの「−１／２」で途中の撮影が行われ、撮影パラメータの「＋１」で最後の撮影が行われる。また、スライド操作の移動速度に応じて、ブラケット撮影における撮影パラメータのずらし量が設定される。この場合は、ずらし量を等間隔で設定することよりも一時停止された位置に対応する値を優先する。具体的には、移動速度［ｃｍ／ｓ］がＶ３以上、Ｖ２以上Ｖ３未満及びＶ１以上Ｖ２未満である場合、それぞれの撮影パラメータのずらし量は「２」、「３／２」及び「１」であるので、一時停止で指定されている「−１／２」が含まれるように、撮影パラメータ「−１」、「−１／２」、「＋１」の順でブラケット撮影が行われる。また、移動速度がＶ１未満である場合、撮影パラメータのずらし量は「１／２」に設定され、撮影パラメータ「−１」、「−１／２」、「０」、「＋１／２」、「＋１」の順でブラケット撮影が行われる。このように、スライド操作が途中で一時的に停止された場合、設定される撮影パラメータのずらし量は、途中の一時停止位置に対応して定められる。
【００５６】
また、図９（Ｅ）に示すように、スライド操作領域において、スライド操作の開始位置が撮影パラメータの「＋１」の位置であり、終了位置が撮影パラメータの「−１」の位置である場合、撮影パラメータの「＋１」で最初の撮影が行われ、撮影パラメータの「−１」で最後の撮影が行われる。また、スライド操作の移動速度に応じて、ブラケット撮影における撮影パラメータのずらし量が設定される。具体的には、移動速度［ｃｍ／ｓ］がＶ３以上、Ｖ２以上Ｖ３未満である場合は、それぞれの対応するずらし量はそれぞれ「２」及び「２／３」であるが、開始位置から終了位置の間でそれぞれのずらし量が確保できないため、確保可能なずらし量として「１」を設定し、ずらし量として「１」が確保できるＶ１以上Ｖ２未満である場合と合わせて、撮影パラメータ「＋１」、「０」、「−１」の順でブラケット撮影が行われる。また、移動速度がＶ１未満である場合、撮影パラメータのずらし量は「１／２」に設定され、撮影パラメータ「＋１」、「＋１／２」、「０」、「−１／２」、「−１」の順でブラケット撮影が行われる。
【００５７】
これにより、変形例１に係る撮影装置１においては、ユーザがタッチパネルに対して行ったスライド操作の特徴から、ブラケット撮影における撮影パラメータのずらし量が決定され、さらに撮影パラメータ及び撮影順番が設定される。そして、所定のずらし量で設定された撮影パラメータの撮像画像が、設定された順番で撮像される。
したがって、タッチパネルに対するスライド操作によってブラケット撮影の各種設定を行うことができるため、ユーザは、ブラケット撮影に使用する撮影パラメータの値をより容易に設定することが可能となる。
上記の説明は第１実施形態に適用した場合であるが、第２実施形態に適用してもよく、その場合にも同様の効果を得ることができる。
【００５８】
［変形例２］
上記各実施形態において、判別部５１は、スライド操作の特徴として、スライド操作の移動速度を判別し、設定部５２は、移動速度に対応して撮影パラメータの設定条件（撮影枚数あるいは撮影パラメータのずらし量等）を設定することとして説明した。これに対し、判別部５１が、スライド操作の移動速度に代えて、表示画面における特定方向への移動量を判別し、この移動量に対応して、設定部５２が、上記撮影パラメータの設定条件を設定することとしてもよい。
図１０は、ディスプレイの縦方向の移動量で撮影パラメータの設定条件を設定するスライド操作の例を示す模式図である。なお、図１０においては、横方向のスライド操作によってコントラストの補正値を設定する例を示している。
図１０に示すように、スライド操作の始めまたは終わりにおいて、ディスプレイの縦方向にスライド操作を行うことで、縦方向の移動量によって撮影パラメータの設定条件の設定を行うことができる。例えば、縦方向のスライド操作によって撮影枚数を設定する場合、縦方向の移動量が大きいほど、撮影枚数を多く設定すること等が可能である。また、縦方向のスライド操作によって撮影パラメータのずらし量を設定する場合、縦方向の移動量が大きい程、撮影パラメータのずらし量を大きく設定すること等が可能である。
なお、縦方向のスライド操作によるパラメータの設定と組み合わせて、横方向のスライド操作によって、上記実施形態と同様に、撮影パラメータの範囲や撮影順番を設定することができる。
【００５９】
以上のように構成される撮影装置１は、入力部１７と、判別部５１と、設定部５２と、撮影制御部５３とを備える。
入力部１７は、タッチパネルを構成し、タッチによるスライド操作が可能である。
判別部５１は、タッチパネル上における連続する１回のスライド操作の軌跡の特徴を判別する。
設定部５２は、判別された連続する１回のスライド操作の軌跡の特徴に応じて、ブラケット撮影に使用する撮影パラメータの複数の値を各々設定する。
撮影制御部５３は、設定された撮影パラメータの複数の値によるブラケット撮影を実行するように制御する。
これにより、撮影装置１においては、ユーザがタッチパネルに対して行ったスライド操作の特徴から、ブラケット撮影における撮影パラメータの複数の値が各々設定される。そして、設定された撮影パラメータによってブラケット撮影が実行される。
したがって、タッチパネルに対するスライド操作によってブラケット撮影の各種設定を行うことができるため、ユーザは、ブラケット撮影に使用する撮影パラメータの値をより容易に設定することが可能となる。
【００６０】
また、撮影装置１は、表示制御部５４を更に備える。
入力部１７は、出力部１８上に積層される。
表示制御部５４は、設定部５２により設定される撮影パラメータの設定可能な値又は範囲を識別可能とする表示を出力部１８に行わせる。
これにより、ユーザにわかりやすい形態で、スライド操作によりブラケット撮影の撮影パラメータを設定するための領域を表示することができる。
【００６１】
また、判別部５１は、スライド操作の軌跡の特徴として、スライド操作の始点又は終点のタッチパネル上における位置を判別する。
設定部５２は、判別されたタッチパネル上における位置に応じて、撮影パラメータの複数の値の内の少なくとも一を設定する。
これにより、タッチパネルを介して、簡単にブラケット撮影の撮影パラメータを設定することができる。
【００６２】
また、設定部５２は、撮影パラメータの複数の値の内の少なくとも一として、最大値又は最小値を設定する。
これにより、ユーザは、直感的にわかりやすい操作で、ブラケット撮影の撮影パラメータにおける最大値又は最小値を設定することが可能となる。
【００６３】
また、判別部５１は、スライド操作の軌跡の特徴として、スライド操作の軌跡のタッチパネル上における中間位置を判別する。
設定部５２は、判別されたタッチパネル上の中間位置に応じて、撮影パラメータの複数の値の内の一を設定する。
これにより、スライド操作を行うことにより、始点と終点の撮影パラメータの中間に対応する撮影パラメータを自動的に設定して、ブラケット撮影を行うことが可能となる。
【００６４】
また、設定部５２は、設定可能な撮影パラメータの値の内のより中間値（撮影パラメータの設定可能な範囲における中央値）に近い値に、設定する撮影パラメータの複数の値の内の一を設定する。
これにより、撮影パラメータの範囲の中間の値が設定不可能な値の場合であっても、より適切に撮影パラメータを設定してブラケット撮影を実行することが可能となる。
【００６５】
また、判別部５１は、スライド操作の軌跡の特徴として、スライド操作の軌跡の通過位置を判別する。
設定部５２は、判別されたスライド操作の軌跡の通過位置に応じて、ブラケット撮影を行う順番として撮影パラメータの複数の値を変更する順番を設定する。
これにより、スライド操作の軌跡を種々の形状とすることにより、その形状に応じて、ブラケット撮影の各撮影パラメータによる撮影順番を設定することが可能となる。そのため、例えば、撮影パラメータがシャッタスピードの場合で、高速で移動する物体を撮影する場合等には、撮影順番により撮影結果に違いが出ることから、順番をユーザが設定できると、所望の結果がより得られやすくなる。また、再生時に撮影順番で撮像画像が表示される場合には、より見やすい順番に設定することが可能となる。
【００６６】
また、判別部５１は、スライド操作の軌跡の特徴として、スライド操作の軌跡の方向を判別する。
設定部５２は、判別されたスライド操作の軌跡の方向に応じて、ブラケット撮影を行う順番として撮影パラメータの複数の値を変更する順番を設定する。
これにより、ユーザにとって直感的でわかりやすい操作形態によって、ブラケット撮影の各撮影パラメータによる撮影順番を設定することが可能となる。
【００６７】
また、判別部５１は、スライド操作の軌跡の特徴として、スライド操作の速度を判別する。
設定部５２は、判別されたスライド操作の速度に応じて、ブラケット撮影を行う回数として撮影パラメータの複数の値の数を設定する。
これにより、１回のスライド操作によって、ブラケット撮影の撮影枚数を簡単に設定することが可能となる。
【００６８】
また、判別部５１は、スライド操作の軌跡の特徴として、スライド操作の速度を判別する。
設定部５２は、判別されたスライド操作の速度に応じて、撮影パラメータの複数の値のずらし量を設定する。
これにより、１回のスライド操作によって、ブラケット撮影における撮影パラメータのずらし量を簡単に設定することが可能となる。
【００６９】
また、判別部５１は、スライド操作の軌跡の特徴として、スライド操作の途中で所定時間以上の一時停止があった場合に、その一時停止があったタッチパネル上における位置を判別する。
設定部５２は、判別されたタッチパネル上の位置に応じて、撮影パラメータの複数の値の内の少なくとも一を設定する。
これにより、ユーザは、所定の位置で一時的にスライド操作を停止することにより、ブラケット撮影における所望の撮影パラメータを簡単に設定することが可能となる。
【００７０】
また、設定部５２は、設定可能な撮影パラメータの値の内の中間値（ブラケット撮影における標準の撮影パラメータ）を含まずに、撮影パラメータの複数の値を設定する。
これにより、ユーザの要求に対応して、より柔軟に撮影パラメータの範囲を設定することが可能となる。例えば、逆光のように標準的な中央重点測光や平均測光による自動露出制御では露出不足となり、マイナス補正することに意味がないような場合に、中心値を自動露出制御によって測定された適正値に限定されることなく、プラス補正のみできめ細かい設定を行うことが可能となる。
【００７１】
また、撮影制御部５３は、判別部５１による判別及び設定部５２による設定の終了を契機としてブラケット撮影を実行する。
これにより、スライド操作の完了と共に、自動的にブラケット撮影を実行することが可能となる。
【００７２】
また、判別部５１は、スライド操作における軌跡の特徴として、スライド操作の軌跡のタッチパネル上における第１の方向（例えば、縦方向）への移動量及び第２の方向（例えば、横方向）への移動量を判別する。
設定部５２は、判別された第１の方向への移動量に応じて、撮影パラメータの複数の設定条件の内の少なくとも一（例えば、撮影枚数あるいは撮影パラメータのずらし量）を設定し、第２の方向への移動量に応じて、撮影パラメータの複数の設定条件の内の少なくとも他（例えば、撮影パラメータの範囲あるいは撮影順番）を設定する。
これにより、スライド操作の方向によって、明確な操作で所定の撮影パラメータを設定することが可能となる。
【００７３】
また、ブラケット撮影では、撮影パラメータの複数の種類毎の複数の値の組み合わせを変更しながら複数回の撮影を行う。
入力部１７のタッチパネルは、多次元におけるスライド操作が可能である。
判別部５１は、連続する１回の多次元のタッチパネル上におけるスライド操作の多次元の軌跡の特徴を判別する。
設定部５２は、判別された連続する１回のスライド操作の軌跡の特徴に応じて、ブラケット撮影に使用する、撮影パラメータの複数の種類毎の複数の値を各々設定する。
撮影制御部５３は、設定された撮影パラメータの複数の種類毎の複数の値によるブラケット撮影を実行する。
これにより、ブラケット撮影における複数種類の撮影パラメータを１回のスライド操作によって、簡単に設定することが可能となる。
【００７４】
また、撮影制御部５３は、設定された撮影パラメータの複数の種類毎の複数の値を組み合わせた枚数分のブラケット撮影を実行する。
これにより、簡単な操作で設定した複数の種類毎の複数の値の撮影パラメータをそれぞれ組み合わせて、ブラケット撮影を自動的に行うことができる。
【００７５】
また、撮影制御部５３は、設定された撮影パラメータの複数の種類毎の複数の値の組み合わせのうち、スライド操作の軌跡上となる組み合わせでブラケット撮影を実行する。
これにより、ブラケット撮影において設定可能な値を自動的に選択して、ブラケット撮影を行うことが可能となる。
【００７６】
また、撮影パラメータの複数の各種類は、入力部１７のタッチパネルでスライド可能な多次元のうちの各次元に対応する。
判別部５１は、連続する１回の多次元の入力部１７のタッチパネル上におけるスライド操作の軌跡で、通過する多次元の座標からなる軌跡の特徴を判別する。
これにより、多次元のブラケット撮影の撮影パラメータを簡単に設定することが可能となる。
【００７７】
なお、本発明は、上述の実施形態に限定されるものではなく、本発明の目的を達成できる範囲での変形、改良等は本発明に含まれるものである。
【００７８】
上述の実施形態では、スライド操作領域において、撮影パラメータの多段階の値を目盛りとして表示する場合を例に挙げて説明したが、これに限られない。例えば、撮影パラメータの多段階の目盛りを表示画面周囲の筐体に形成（印刷あるいは成型等）しておき、目盛りに対応する表示画面内の領域に、スライド操作領域を識別して表示することとしてもよい。
これにより、ユーザは、常に表示画面の同一の領域がスライド操作領域であることを認識でき、撮影パラメータの値をより容易に設定することが可能となる。
【００７９】
また、上述の実施形態において、スライド操作の開始位置及び終了位置に対する中間位置に対応する撮影パラメータを設定することができる。このとき、スライド操作によって設定された撮影パラメータの範囲に、撮影パラメータの多段階の値が偶数個含まれている場合等、スライド操作の中間位置に撮影パラメータの多段階の値が一致しない場合には、撮影パラメータの範囲において中間位置により近い撮影パラメータの値を採用することが可能である。
これにより、スライド操作によって種々の撮影パラメータの範囲が設定された場合であっても、適切に撮影パラメータの値を設定することができる。
【００８０】
また、上述の実施形態において、スライド操作によって設定される撮影パラメータの中に、撮影パラメータを変化させない値（即ち、ブラケット撮影における標準の撮影パラメータ）を含むことなく、ブラケット撮影で用いる撮影パラメータを全てプラス側またはマイナス側に変化させた値に設定することが可能である。
これにより、ユーザの要求に対応して、より柔軟に撮影パラメータの範囲を設定することが可能となる。例えば、逆光のように標準的な中央重点測光や平均測光による自動露出制御では露出不足となり、マイナス補正することに意味がないような場合に、中心値を自動露出制御によって測定された適正値に限定されることなく、プラス補正のみできめ細かい設定を行うことが可能となる。
【００８１】
また、上述の各実施形態及び各変形例を組み合わせて、撮影装置１を実現することも可能である。
この場合、より複雑な機能によって、より適切に撮影パラメータを設定可能な撮影装置を実現することが可能となる。
【００８２】
また、上述の実施形態では、本発明が適用される撮影装置１は、デジタルカメラを例として説明したが、特にこれに限定されない。
例えば、本発明は、ブラケット撮影機能を有する電子機器一般に適用することができる。具体的には、例えば、本発明は、ノート型のパーソナルコンピュータ、ビデオカメラ、携帯型ナビゲーション装置、携帯電話機、スマートフォン、ポータブルゲーム機等に適用可能である。
【００８３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００８４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００８６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００８７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８８】
以下に、本願の出願当初の特許請求の範囲に記載された発明を付記する。
［付記１］
撮影パラメータの値を変更しながら複数回の撮影を行うブラケット撮影が可能な撮影装置であって、
タッチによるスライド操作が可能なタッチ入力手段と、
前記タッチ入力手段上における連続する１回の前記スライド操作の軌跡の特徴を判別する判別手段と、
判別された前記連続する１回のスライド操作の軌跡の特徴に応じて、前記ブラケット撮影に使用する前記撮影パラメータの複数の値を各々設定する設定手段と、
設定された前記撮影パラメータの複数の値による前記ブラケット撮影を実行するように制御する撮影制御手段と、
を備えることを特徴とする撮影装置。
［付記２］
前記タッチ入力手段は、表示手段上に積層され、
前記表示手段に、前記設定手段により設定される前記撮影パラメータの設定可能な値又は範囲を識別可能とする表示を行う表示制御手段を更に備えることを特徴とする付記１に記載の撮影装置。
［付記３］
前記判別手段は、前記スライド操作の軌跡の特徴として、前記スライド操作の始点又は終点の前記タッチ入力手段上における位置を判別し、
前記設定手段は、判別された前記タッチ入力手段上における位置に応じて、前記撮影パラメータの複数の値の内の少なくとも一を設定することを特徴とする付記１または２に記載の撮影装置。
［付記４］
前記設定手段は、前記撮影パラメータの複数の値の内の少なくとも一として、最大値又は最小値を設定することを特徴とする付記３に記載の撮影装置。
［付記５］
前記判別手段は、前記スライド操作の軌跡の特徴として、前記スライド操作の軌跡の前記タッチ入力手段上における中間位置を判別し、
前記設定手段は、判別された前記タッチ入力手段上の中間位置に応じて、前記撮影パラメータの複数の値の内の一を設定することを特徴とする付記１から４のいずれか１つに記載の撮影装置。
［付記６］
前記設定手段は、設定可能な前記撮影パラメータの値の内のより中間値に近い値に、前記設定する前記撮影パラメータの複数の値の内の一を設定することを特徴とする付記５に記載の撮影装置。
［付記７］
前記判別手段は、前記スライド操作の軌跡の特徴として、前記スライド操作の軌跡の通過位置を判別し、
前記設定手段は、判別された前記スライド操作の軌跡の通過位置に応じて、前記ブラケット撮影を行う順番として前記撮影パラメータの複数の値を変更する順番を設定することを特徴とする付記１から６のいずれか１つに記載の撮影装置。
［付記８］
前記判別手段は、前記スライド操作の軌跡の特徴として、前記スライド操作の軌跡の方向を判別し、
前記設定手段は、判別された前記スライド操作の軌跡の方向に応じて、前記ブラケット撮影を行う順番として前記撮影パラメータの複数の値を変更する順番を設定することを特徴とする付記１から７のいずれか１つに記載の撮影装置。
［付記９］
前記判別手段は、前記スライド操作の軌跡の特徴として、前記スライド操作の速度を判別し、
前記設定手段は、判別された前記スライド操作の速度に応じて、前記ブラケット撮影を行う回数として前記撮影パラメータの複数の値の数を設定することを特徴とする付記１から８のいずれか１つに記載の撮影装置。
［付記１０］
前記判別手段は、前記スライド操作の軌跡の特徴として、前記スライド操作の速度を判別し、
前記設定手段は、判別された前記スライド操作の速度に応じて、前記撮影パラメータの複数の値のずらし量を設定することを特徴とする付記１から８のいずれか１つに記載の撮影装置。
［付記１１］
前記判別手段は、前記スライド操作の軌跡の特徴として、前記スライド操作の途中で所定時間以上の一時停止があった場合に、その一時停止があった前記タッチ入力手段上における位置を判別し、
前記設定手段は、判別された前記タッチ入力手段上の位置に応じて、前記撮影パラメータの複数の値の内の少なくとも一を設定することを特徴とする付記１から１０のいずれか１つに記載の撮影装置。
［付記１２］
前記設定手段は、設定可能な前記撮影パラメータの値の内の中間値を含まずに、前記撮影パラメータの複数の値を設定することを特徴とする付記１から１１のいずれか１つに記載の撮影装置。
［付記１３］
前記撮影制御手段は、前記判別手段による判別及び前記設定手段による設定の終了を契機として前記ブラケット撮影を実行することを特徴とする付記１から１２のいずれか１つに記載の撮影装置。
［付記１４］
前記判別手段は、前記スライド操作における軌跡の特徴として、前記スライド操作の軌跡の前記タッチ入力手段上における第１の方向への移動量及び第２の方向への移動量を判別し、
前記設定手段は、判別された前記第１の方向への移動量に応じて、前記撮影パラメータの複数の設定条件の内の少なくとも一を設定し、前記第２の方向への移動量に応じて、前記撮影パラメータの複数の設定条件の内の少なくとも他を設定することを特徴とする付記１から１３のいずれか１つに記載の撮影装置。
［付記１５］
前記ブラケット撮影では、前記撮影パラメータの複数の種類毎の複数の値の組み合わせを変更しながら複数回の撮影を行い、
前記タッチ入力手段は、多次元におけるスライド操作が可能であって、
前記判別手段は、連続する１回の前記多次元のタッチ入力手段上における前記スライド操作の軌跡の特徴を判別し、
前記設定手段は、判別された前記連続する１回のスライド操作の軌跡の特徴に応じて、前記ブラケット撮影に使用する、前記撮影パラメータの複数の種類毎の複数の値を各々設定し、
前記撮影制御手段は、設定された前記撮影パラメータの複数の種類毎の複数の値による前記ブラケット撮影を実行することを特徴とする付記１から１３のいずれか１つに記載の撮影装置。
［付記１６］
前記撮影制御手段は、設定された前記撮影パラメータの複数の種類毎の複数の値を組み合わせた枚数分の前記ブラケット撮影を実行することを特徴とする付記１５に記載の撮影装置。
［付記１７］
前記撮影制御手段は、設定された前記撮影パラメータの複数の種類毎の複数の値の組み合わせのうち、前記スライド操作の軌跡上となる組み合わせで前記ブラケット撮影を実行することを特徴とする付記１５に記載の撮影装置。
［付記１８］
前記撮影パラメータの複数の各種類は、前記タッチ入力手段でスライド可能な多次元のうちの各次元に対応し、
前記判別手段は、連続する１回の前記多次元のタッチ入力手段上における前記スライド操作の軌跡で、通過する多次元の座標からなる軌跡の特徴を判別することを特徴とする付記１５から１７のいずれか１つに記載の撮影装置。
［付記１９］
タッチによるスライド操作が可能なタッチ入力手段を備え、撮影パラメータの値を変更しながら複数回の撮影を行うブラケット撮影が可能な撮影装置で実行される撮影方法であって、
前記タッチ入力手段上における連続する１回の前記スライド操作の軌跡の特徴を判別する判別ステップと、
判別された前記連続する１回のスライド操作の軌跡の特徴に応じて、前記ブラケット撮影に使用する前記撮影パラメータの複数の値を各々設定する設定ステップと、
設定された前記撮影パラメータの複数の値による前記ブラケット撮影を実行するように制御する撮影ステップと、
を含むことを特徴とする撮影方法。
［付記２０］
タッチによるスライド操作が可能なタッチ入力手段を備え、撮影パラメータの値を変更しながら複数回の撮影を行うブラケット撮影が可能な撮影装置を制御するコンピュータに、
前記タッチ入力手段上における連続する１回の前記スライド操作の軌跡の特徴を判別する判別機能と、
判別された前記連続する１回のスライド操作の軌跡の特徴に応じて、前記ブラケット撮影に使用する前記撮影パラメータの複数の値を各々設定する設定機能と、
設定された前記撮影パラメータの複数の値による前記ブラケット撮影を実行するように制御する撮影機能と、
を実現させることを特徴とするプログラム。
【符号の説明】
【００８９】
１・・・撮影装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記録部，２０・・・通信部，２１・・・ドライブ，３１・・・リムーバブルメディア，５１・・・判別部，５２・・・設定部，５３・・・撮影制御部，５４・・・表示制御部，７１・・・撮影パラメータ記憶部，７２・・・画像記憶部
【要約】      （修正有）【課題】ブラケット撮影に使用する撮影パラメータの値を容易に設定できるようにする撮影装置、撮影方法及びプログラムを提供する。【解決手段】撮影装置は、入力部１７と、判別部５１と、設定部５２と、撮影制御部５３とを備える。入力部１７は、タッチパネルを構成し、タッチによるスライド操作が可能である。判別部５１は、タッチパネル上における連続する１回のスライド操作の軌跡の特徴を判別する。設定部５２は、判別された連続する１回のスライド操作の軌跡の特徴に応じて、ブラケット撮影に使用する撮影パラメータの複数の値を各々設定する。撮影制御部５３は、設定された撮影パラメータの複数の値によるブラケット撮影を実行するように制御する。【選択図】図２【図１】
0005825401.tif 000002
【図２】
0005825401.tif 000003
【図３】
0005825401.tif 000004
【図４】
0005825401.tif 000005
【図５】
0005825401.tif 000006
【図６】
0005825401.tif 000007
【図７】
0005825401.tif 000008
【図８】
0005825401.tif 000009
【図９】
0005825401.tif 000010
【図１０】
0005825401.tif 000011